(57)【要約】【課題】安定器の製造コストの低減を図ることができる照明器具を提供することを目的とする。【解決手段】  天井に取付けた状態で２つの径の異なる環状蛍光ランプを支持するための略円形の照明器具本体１０と、これら２つの蛍光ランプを各々点灯させる２つの安定器４１、４２と、器具本体の下面側に被着されて、安定器４１、４２や器具の配線等を覆い隠す略円形状の本体カバーから構成される。この２つの安定器を構成するプリント配線板４１ａ、４２ａの形状及び寸法を同一にすることで、製造に必要な設備等を共通化し、製造コストの低減を図る。【選択図】        図１
2006302533.tif 000002
【特許請求の範囲】
【請求項１】
天井に取付けた状態で複数の環状蛍光ランプを支持する略円形の照明器具本体と、電子部品をプリント配線板に実装することで構成された複数の安定器と、器具本体の下面側に被着されて、少なくとも安定器を覆い隠す略円形の本体カバーとを備えた照明器具であって、器具本体の中央部には、天井に設けてある引掛シーリングローゼットを器具本体の下面側に通すための天井取付孔が器具本体と同心に配置され、この天井取付孔を囲むように複数の安定器が本体カバーと天井取付孔に接触しないように器具本体に略環状に配置され、それぞれの安定器を構成するプリント配線板の形状及び寸法を略同一にしたことを特徴とする照明器具。
【請求項２】
安定器を構成するプリント配線板の形状が平面視で略四角形状であることを特徴とする請求項１記載の照明器具。
【請求項３】
安定器を構成するプリント配線板の本体カバーと対向する角を、本体カバーと接触しないように切り取ったことを特徴とする請求項１記載の照明器具。
【請求項４】
安定器を構成するプリント配線板の本体カバーと対向する四隅を、本体カバーと接触しないように切り取り、平面視において上下左右共に対称となるように略八角形状にしたことを特徴とする請求項１記載の照明器具。
【請求項５】
安定器を構成するプリント配線板に設けられた、複数の安定器同士を送り接続するための電源入力端子の配置を互いに近傍にしたことを特徴とする請求項１記載の照明器具。
【発明の詳細な説明】
【技術分野】
【０００１】
この発明は、複数の安定器を備えた照明器具に関する。
【背景技術】
【０００２】
従来のこの種の照明器具として、丸形の照明器具において、２つの安定器によって各々環状蛍光ランプを点灯する例が特許文献１に記載されている。これに類する従来例として、図６に従来の照明器具の下面図を示す。この照明器具は、略円形の照明器具本体１０の中央部に、天井に設けてある引掛シーリングローゼット１００を器具本体１０の下面側に通すための天井取付孔２を設けており、この天井取付孔２の周囲には、引掛シーリングローゼット１００に着脱自在に器具本体１０を取付ける取付機構を備えた略長円形状の本体取付装置２ａが配置されており、当該装置を囲むように２つの安定器４７、４８が器具本体１０に略環状に配置されている。安定器４７、４８は器具本体１０と同心円状に配置される２つの環状蛍光ランプをそれぞれ点灯させるものであり、コンデンサや半導体素子等の電子部品をプリント配線板４７ａ、４８ａにそれぞれ実装することで構成されている。プリント配線板４７ａ、４８ａには、それぞれ一端に送り接続用電源線８を接続する入力端子６１、６２と、他端には、蛍光ランプを接続するソケット兼用のランプコネクタ１１、１２に電源を供給するための出力線９１、９２を接続する出力端子７１、７２を設けてあり、送り接続用電源線８は雑音等を低減できるようにできるだけ短く構成され、そのために入力端子６１、６２は互いに近傍となるように配置されている。また図示されていないが、安定器４７、４８や配線等を覆い隠すための本体カバーが器具本体１０の下面側に取付けられている。この本体カバーは平面視において円形で、中央部には天井取付孔２の下面開口が臨む略長円形の窓孔が設けてあり、平面視において当該窓孔直下には、内側の蛍光ランプを接続するソケット兼用のランプコネクタ１２を通す接続孔が設けてある。安定器４７、４８は、この本体カバーと天井取付孔２に挟まれた領域に収納されなければならず、そのため安定器４７、４８を構成するプリント配線板４７ａ、４８ａは、それぞれ収納領域に合わせた複雑な形状を取らざるを得ない。
【特許文献１】実願昭５６−８４２１５号（実開昭５６−８４２１５号）のマイクロフィルム
【発明の開示】
【発明が解決しようとする課題】
【０００３】
上記従来例では、安定器４７、４８を構成するプリント配線板４７ａ、４８ａが複雑な形状であったり、その形状及び寸法が各々の安定器４７、４８で異なるために、それぞれの安定器４７、４８における入力端子６１、６２や出力端子７１、７２等の部品位置が共通になっておらず個別に製造する必要があるため、安定器４７、４８の製造における検査や設備等を共通化することができないという問題があった。また安定器４７、４８を絶縁板と共に安定器用ケースに挿入して器具本体１０に配置するような場合、安定器４７、４８の形状が異なるため、その絶縁板及び安定器用ケースもまた形状を異にする必要があるために共通化できず、個々の部品の製造に大きな投資が必要となるという問題があった。
【０００４】
本発明は上述の問題点に鑑みて為されたもので、安定器の製造コストの低減を図ることができる照明器具を提供することを目的とする。
【課題を解決するための手段】
【０００５】
請求項１の発明は、上記目的を達成するために、天井に取付けた状態で複数の環状蛍光ランプを支持する略円形の照明器具本体と、電子部品をプリント配線板上に実装することで構成された複数の安定器と、器具本体の下面側に被着されて、少なくとも安定器を覆い隠す略円形の本体カバーとを備えた照明器具であって、器具本体の中央部には、天井に設けてある引掛シーリングローゼットを器具本体の下面側に通すための天井取付孔が器具本体と同心に配置され、この天井取付孔を囲むように複数の安定器が本体カバーと天井取付孔に接触しないように器具本体に略環状に配置され、それぞれの安定器を構成するプリント配線板の形状及び寸法を略同一にしている。
【０００６】
請求項２の発明は、請求項１の発明において、安定器を構成するプリント配線板の形状を平面視で略四角形状にしている。
【０００７】
請求項３の発明は、請求項１の発明において、安定器を構成するプリント配線板の本体カバーと対向する角を、本体カバーと接触しないように切り取ったことを特徴としている。
【０００８】
請求項４の発明は、安定器を構成するプリント配線板の本体カバーと対向する四隅を、本体カバーと接触しないように切り取り、平面視において上下左右共に対称となるように略八角形状にしている。
【０００９】
請求項５の発明は、請求項１の発明において、安定器を構成するプリント配線板に設けられた、複数の安定器同士を送り接続するための電源入力端子の配置を互いに近傍にしている。
【発明の効果】
【００１０】
請求項１の発明によれば、複数の安定器を構成するプリント配線板の形状及び寸法を同一にすることで、その製造に必要な検査や設備を共通化することができ、製造が容易になると共にコスト低減を図ることができる。
【００１１】
請求項２の発明によれば、安定器の形状を平面視で略四角形状にすることで、従来の複雑な形状である安定器よりも製造が容易となる。
【００１２】
請求項３の発明によれば、安定器において、本体カバーと対向する角を本体カバーと接触しないように切り取ることで、器具本体の収納領域を有効に利用することができる。
【００１３】
請求項４の発明によれば、安定器を構成するプリント配線板の本体カバーと対向する四隅を、本体カバーと接触しないように切り取り、平面視において上下左右共に対称となるように略八角形状にすることで、プリント配線板を回転させることなく配置することができ、このため安定器同士を送り接続する電源線を短くすることができ、また送り接続用電源線と出力線が近傍に配置される問題も起こらず、雑音性能の劣化を防ぐことができる。
【００１４】
請求項５の発明によれば、複数の安定器において送り接続に用いられる電源入力端子を互いに近傍に配置することにより、送り接続用電源線の長さを短くすることができ、雑音性能の劣化を防ぐことができる。
【発明を実施するための最良の形態】
【００１５】
（実施形態１）
図１は本発明の実施形態１の下面図である。本実施形態の照明器具は、天井に取付けた状態で２つの径の異なる環状蛍光ランプ（図示せず）を支持するための略円形の照明器具本体１０と、これら２つの蛍光ランプを各々点灯させる２つの安定器４１、４２と、図示されていないが、器具本体１０の下面側に被着されて、安定器４１、４２や器具の配線等を覆い隠す略円形状の本体カバーから成る。
【００１６】
器具本体１０の中央部には、天井に設けてある引掛シーリングローゼット１００を器具本体１０の下面側に通すための天井取付孔２を設けてあり、この天井取付孔２の周囲には、従来例と同様に、引掛シーリングローゼット１００に着脱自在に器具本体１０を取付ける取付機構を備えた略長円形状の本体取付装置２ａが配置されている。なお、このような本体取付装置２ａは、従来周知であるので、詳しい説明は省略する。この本体取付装置２ａを囲むように２つの安定器４１、４２が配置されており、これら安定器４１、４２を覆い隠すように本体カバーが器具本体１０と同心に取付けられている。
【００１７】
本体カバーの中央部には、本体取付装置２ａを通すための略長円形状の窓孔が設けてあり、平面視において当該窓孔の直下には、内側に配置される蛍光ランプを接続するソケット兼用のランプコネクタ１２を通すための接続孔が設けられており、当該カバーの内径は外側に配置される蛍光ランプの内径よりも小さくなっている。この本体カバーと本体取付装置２ａに挟まれた器具本体１０の収納領域に安定器４１、４２が配置されている。
【００１８】
安定器４１、４２を構成するプリント配線板４１ａ、４２ａは、上記従来例のプリント配線板よりも小型化されており、その形状及び寸法は同一である。プリント配線板４１ａには、電源線３ａを接続する電源接続部５が設けられ、電源線３ａの他端にある引掛シーリングキャップ３を引掛シーリングローゼット１００に接続することで安定器４１に電源を供給し、電源接続部５と反対側に配置された電源出力端子７１から出力線９１を介して外側に配置される蛍光ランプを接続するソケット兼用のランプコネクタ１１に出力している。安定器４２には、プリント配線板４１ａの電源入力端子６１とプリント配線板４２ａの電源入力端子６２を送り接続用電源線８を介して接続することで電源が供給されており、電源入力端子６２と反対側に配置された電源出力端子７２から出力線９２を介してランプコネクタ１２に出力している。ここでプリント配線板４１ａにおける電源入力端子６１と電源出力端子７１の配置は、プリント配線板４２ａにおける電源入力端子６２と電源出力端子７２の配置とそれぞれ共通になっており、電源入力端子６１と６２は互いに近傍に配置されている。
【００１９】
ところで、プリント配線板４１ａ、４２ａの形状を、プリント配線板片側（図における上側）の両隅のみを切り取った、左右対称であるが上下非対称である略六角形状とした例を図２に示す。この場合、図において天井取付孔２の上方に位置する安定器４３は器具本体１０の収納領域に収まるが、天井取付孔２の下方に位置する安定器４４は、プリント配線板４４ａの下方の両隅において本体カバーと接触するために設置することができない。
【００２０】
そこで図３に示すように、安定器４４を１８０度回転させて配置すると、本体カバーと接触することなく器具本体１０に収納することが可能になるが、この場合電源入力端子６２と電源出力端子７２の配置も１８０度回転することになり、プリント配線板４３ａの電源入力端子６１とプリント配線板４４ａの電源入力端子６２の位置が離れてしまい、送り接続用電源線８を長くせざるを得ず、結果として雑音性能の劣化を招く。また電源出力端子７２がプリント配線板４３ａの電源入力端子６１の近傍に配置され、送り接続用電源線８と出力線９２が接近することで、互いに干渉して雑音性能の劣化を招く。
【００２１】
したがって、プリント配線板４１ａ、４２ａを、本体カバーに対向する四隅を切り取った、平面視において上下左右対称となるような略八角形状にすることで、安定器４１、４２を回転させることなく収納することができ、プリント配線板４１ａ、４２ａの電源入力端子６１、６２も互いに近傍に配置されるため、送り接続用電源線８を短く、かつ出力線９１、９２と干渉しないように構成することができる。
（実施形態２）
他の実施形態として、安定器を収納する安定器用ケースを設置した実施形態２を図４に示す。図４において、安定器用ケース１３と１４以外の構成は全て本発明の実施形態１と同じである。安定器用ケース１３、１４は金属製の箱状のもので、器具本体１０の下面側に被着され、安定器４１、４２をそれぞれ安定器用ケース１３、１４に嵌める形で固定する。安定器４１と４２の形状及び寸法が同一であるため、これら安定器用ケース１３と１４の形状及び寸法も同一にすることができ、安定器用ケース１３、１４の製造に必要な設備等の共通化を図ることができる。
（実施形態３）
本発明の他の実施形態として、プリント配線板４１ａ、４２ａの形状を本体カバーと対向する四隅が接触しないように、上下左右対称となるような略楕円形状とした実施形態３を図５に示す。プリント配線板４５ａ、４６ａの形状及び寸法が異なるだけで、他の部品構成や配線等は前述の図１に示す本発明の実施形態１と同じである。この場合、安定器４５、４６を構成するプリント配線板４５ａ、４６ａの四隅の形状が異なるだけで、本発明の実施形態１と同じ効果を奏する。
【図面の簡単な説明】
【００２２】
【図１】本発明の実施形態１を示す下面図である。
【図２】同上において他の形態のプリント配線板を用いた場合の一部省略した下面図である。
【図３】同上において２つあるプリント配線板の一方の配置を変更した場合の一部省略した下面図である。
【図４】本発明の実施形態２を示す一部省略した下面図である。
【図５】本発明の実施形態３を示す一部省略した下面図である。
【図６】従来の照明器具の下面図である。
【符号の説明】
【００２３】
１０            器具本体
４１、４２      安定器
４１ａ、４２ａ  プリント配線板
【図１】
2006302533.tif 000003
【図２】
2006302533.tif 000004
【図３】
2006302533.tif 000005
【図４】
2006302533.tif 000006
【図５】
2006302533.tif 000007
【図６】
2006302533.tif 000008